(57)【要約】【課題】患者に応じて医療情報の画面構成を切り替え可能な記録媒体、当該記録媒体を作成する医療情報管理装置及びプログラムを提供する。【解決手段】医療情報、処理テーブル及び閲覧用プログラムを記憶する記憶手段と、前記記憶される医療情報、処理テーブル及び閲覧用プログラムを可搬型記憶媒体に記憶させる記憶制御手段と、を備え、前記医療情報は、患者の視覚特性情報を含み、前記処理テーブルは、前記視覚特性情報を予め定められた画面構成情報に対応付ける処理を行うことを定めており、前記閲覧用プログラムは、前記画面構成情報に基づいて前記医療情報の画面構成を変更して説明用画面情報を生成し、かつ、当該生成した説明用画面情報を表示画面上に表示するように、前記可搬型記憶媒体の読み取りが可能な閲覧端末に実行させるプログラムである医療情報管理装置とする。【選択図】図５
2009226136.tif 000002
【特許請求の範囲】
【請求項１】
医療情報、処理テーブル及び閲覧用プログラムを記憶する記憶手段と、
前記記憶される医療情報、処理テーブル及び閲覧用プログラムを可搬型記憶媒体に記憶させる記憶制御手段と、を備え、
前記医療情報は、患者の視覚特性情報を含み、
前記処理テーブルは、前記視覚特性情報を予め定められた画面構成情報に対応付ける処理を行うことを定めており、
前記閲覧用プログラムは、前記画面構成情報に基づいて前記医療情報の画面構成を変更して説明用画面情報を生成し、かつ、当該生成された説明用画面情報を表示画面上に表示するように、前記可搬型記憶媒体の読み取りが可能な閲覧端末に実行させるプログラムである医療情報管理装置。
【請求項２】
前記視覚特性情報は、患者の視力、年齢、生年月日又は視覚特性に関する疾患のうち、少なくとも何れか１つを含む請求項１に記載の医療情報管理装置。
【請求項３】
前記画面構成情報は、レイアウト、文字のサイズ又は色のうち、少なくとも何れか１つを含む表示形態に関する設定情報である請求項１又は２に記載の医療情報管理装置。
【請求項４】
前記閲覧用プログラムは、前記閲覧端末の表示画面上に表示されている前記医療情報と前記説明用画面情報とを相互に切り替えて表示させるプログラムである医療情報管理装置。
【請求項５】
前記記憶制御手段は、前記医療情報から患者の視覚特性情報を抽出又は算出し、前記処理テーブルを参照して、前記抽出又は算出された視覚特性情報と対応付けられた画面構成情報を決定し、当該決定された画面構成情報に基づいて前記医療情報の画面構成を変更して生成した説明用画面情報を前記可搬型記憶媒体に記憶させる請求項１〜４の何れか一項に記載の医療情報管理装置。
【請求項６】
コンピュータを、
医療情報、処理テーブル及び閲覧用プログラムを記憶する記憶手段、
前記記憶される医療情報、処理テーブル及び閲覧用プログラムを可搬型記憶媒体に記憶させる記憶制御手段、
として機能させるためのプログラムであって、
前記医療情報は、患者の視覚特性情報を含み、
前記処理テーブルは、前記視覚特性情報と画面構成情報とを対応付ける処理を行うことを定めており、
前記閲覧用プログラムは、前記画面構成情報に基づいて前記医療情報の画面構成を変更して説明用画面情報を生成し、かつ、当該生成された説明用画面情報を表示画面上に表示するように、前記可搬型記憶媒体の読み取りが可能な閲覧端末に実行させるプログラムであるプログラム。
【請求項７】
医療情報、処理テーブル及び閲覧用プログラムを記憶したコンピュータ読み取り可能な記憶媒体であって、
前記医療情報は、患者の視覚特性情報を含み、
前記処理テーブルは、前記患者の視覚特性情報と画面構成情報とを対応付ける処理を行うことを定めており、
前記閲覧用プログラムは、前記画面構成情報に基づいて前記医療情報の画面構成を変更して説明用画面情報を生成し、かつ、当該生成された説明用画面情報を表示画面上に表示するように、前記可搬型記憶媒体の読み取りが可能な閲覧端末に実行させるプログラムであるコンピュータ読み取り可能な記憶媒体。
【発明の詳細な説明】
【技術分野】
【０００１】
本発明は、医療情報管理装置、プログラム及び記憶媒体に関する。
【背景技術】
【０００２】
近年、医療の現場において、インフォームドコンセントやセカンドオピニオン等、医療情報を患者に開示することの重要性が浸透しつつある。
そのため、患者に必要な情報を十分に伝えるべく、患者の医用画像や電子カルテ等（以下、「医療情報」という）を一般端末の表示画面上に表示させることが行われる。
【０００３】
一方、患者は、表示画面上に表示された自己の医療情報を見ながら医師の説明を聞くことができるため、自己の病状や診断結果について視覚を通じて容易に把握することができ得る。こうして、医療の現場ではインフォームドコンセントの浸透を図っている。
【０００４】
ここで、説明を受ける患者は年齢や病状など様々であり、患者の中には、表示画面上に表示された医療情報を十分に把握することが困難な者がいる。例えば、近視や老眼等の患者である。なお、一般に、年齢を重ねると視力は低下する。
【０００５】
視力が低下した近視患者の場合、表示画面上に表示された文字等が非常に小さくて見にくい場合がある。このような場合に医師が表示画面上に必要な医療情報を表示して説明を行ったとしても、患者は十分な理解が得られない。また、表示画面上に表示された内容が見にくいと感じる患者は近視患者に限られず、緑内障、白内障、色覚異常等、視覚特性に疾患のある患者についても同様である。
【０００６】
特許文献１によれば、表示画面上に表示される文字サイズをユーザの視覚特性に応じて切り替える表示装置が開示されている。
特許文献１の表示装置によれば、ユーザの年齢に応じて、表示する文字サイズを拡大又は縮小することができる。よって、幅広い年齢層に対して良好な視認性及び情報伝達性を確保することができる。
【特許文献１】特願平１０−３１９９４０号公報
【発明の開示】
【発明が解決しようとする課題】
【０００７】
しかし、特許文献１の表示装置では、ユーザ、つまり医師の見やすい文字サイズに切り替えて情報を表示することは可能であるが、患者の見やすい文字サイズに切り替えて情報を表示することはできない。従って、上述してきたインフォームドコンセントのように、医療現場特有の用途において特許文献１の表示装置を適用することはできない。
【０００８】
本発明の目的は、医療情報から説明用画面情報を生成し得る記憶媒体、当該可搬型記憶媒体を作成する医療情報管理装置及びプログラムを提供することである。
【課題を解決するための手段】
【０００９】
請求項１に記載の発明によれば、
医療情報、処理テーブル及び閲覧用プログラムを記憶する記憶手段と、
前記記憶される医療情報、処理テーブル及び閲覧用プログラムを可搬型記憶媒体に記憶させる記憶制御手段と、を備え、
前記医療情報は、患者の視覚特性情報を含み、
前記処理テーブルは、前記視覚特性情報を予め定められた画面構成情報に対応付ける処理を行うことを定めており、
前記閲覧用プログラムは、前記画面構成情報に基づいて前記医療情報の画面構成を変更して説明用画面情報を生成し、かつ、当該生成した説明用画面情報を表示画面上に表示するように、前記可搬型記憶媒体の読み取りが可能な閲覧端末に実行させるプログラムである医療情報管理装置が提供される。
【００１０】
請求項２に記載の発明によれば、請求項１に記載の発明において、
前記視覚特性情報は、患者の視力、年齢、生年月日又は視覚特性に関する疾患のうち、少なくとも何れか１つを含む医療情報管理装置が提供される。
【００１１】
請求項３に記載の発明によれば、請求項１又は２に記載の発明において、
前記画面構成情報は、レイアウト、文字のサイズ又は色のうち、少なくとも何れか１つを含む表示形態に関する設定情報である医療情報管理装置が提供される。
【００１２】
請求項４に記載の発明によれば、
前記閲覧用プログラムは、前記閲覧端末の表示画面上に表示されている前記医療情報と前記説明用画面情報とを相互に切り替えて表示させるプログラムである医療情報管理装置が提供される。
【００１３】
請求項５に記載の発明によれば、請求項１〜４の何れか一項に記載の発明において、
前記記憶制御手段は、前記医療情報から患者の視覚特性情報を抽出又は算出し、前記処理テーブルを参照して、前記抽出又は算出した視覚特性情報と対応付けられた画面構成情報を決定し、当該決定した画面構成情報に基づいて前記医療情報の画面構成を変更して生成した説明用画面情報を前記可搬型記憶媒体に記憶させる医療情報管理装置が提供される。
【００１４】
請求項６に記載の発明によれば、
コンピュータを、
医療情報、処理テーブル及び閲覧用プログラムを記憶する記憶手段、
前記記憶される医療情報、処理テーブル及び閲覧用プログラムを可搬型記憶媒体に記憶させる記憶制御手段、
として機能させるためのプログラムであって、
前記医療情報は、患者の視覚特性情報を含み、
前記処理テーブルは、前記視覚特性情報と画面構成情報とを対応付ける処理を行うことを定めており、
前記閲覧用プログラムは、前記画面構成情報に基づいて前記医療情報の画面構成を変更して説明用画面情報を生成し、かつ、当該生成した説明用画面情報を表示画面上に表示するように、前記可搬型記憶媒体の読み取りが可能な閲覧端末に実行させるプログラムであるプログラムが提供される。
【００１５】
請求項７に記載の発明によれば、
医療情報、処理テーブル及び閲覧用プログラムを記憶したコンピュータ読み取り可能な記憶媒体であって、
前記医療情報は、患者の視覚特性情報を含み、
前記処理テーブルは、前記患者の視覚特性情報と画面構成情報とを対応付ける処理を行うことを定めており、
前記閲覧用プログラムは、前記画面構成情報に基づいて前記医療情報の画面構成を変更して説明用画面情報を生成し、かつ、当該生成した説明用画面情報を表示画面上に表示するように、前記可搬型記憶媒体の読み取りが可能な閲覧端末に実行させるプログラムであるコンピュータ読み取り可能な記憶媒体が提供される。
【発明の効果】
【００１６】
本発明によれば、説明用画面情報を生成するための各種情報を可搬型記憶媒体に記憶させることができる。各種情報には、（１）医療情報、（２）処理テーブル、（３）閲覧用プログラムが含まれる。よって、可搬型記憶媒体が持ち込まれた医療機関において、患者は医師の説明とともに説明用画面情報を閲覧端末で閲覧することができる。説明用画面は、患者にとって適切な画面構成となっており、インフォームドコンセントの充実を図ることができる。
【発明を実施するための最良の形態】
【００１７】
以下、本発明に係る医療情報管理装置、プログラム及び記憶媒体の最適な実施形態について、図面を用いて詳細に説明する。
【００１８】
図１に、本実施形態におけるデータ管理システム１の全体構成を示す。
図１に示すように、データ管理システム１は、データ管理サーバ１０と複数のクライアント２０等を備えて構成される。また、図１に示すデータ管理システム１では、データ管理サーバ１０と複数のクライアント２０とはネットワークＮにより通信可能であるが、必ずしも通信可能とする必要はない。
【００１９】
データ管理サーバ１０は、病院Ａ内に設置されており、医用画像や電子カルテ等（以下、「医療情報」という）を保存管理する。また、データ管理サーバ１０は、保存管理する医療情報やその他必要な情報を可搬型記憶媒体（メディア）Ｍに書き込む。
一方、クライアント２０は、病院Ｂ又は患者宅Ｃに設置される一般ＰＣ（Personal Computer）である。クライアント２０は、メディアＭに書き込まれた医療情報やその他必要な情報を読み取り、読み取った情報を表示画面上に表示する。
【００２０】
次に、図２を参照して、データ管理サーバ１０の機能的構成について説明する。
データ管理サーバ１０は、サーバ制御部１１、記憶部１２、表示部１３、入力部１４、通信部１５、Ｉ／Ｆ部１６、ＣＤ／ＤＶＤドライブ１７等を備えて構成される。
【００２１】
サーバ制御部１１は、記憶部１２に記憶されている各種プログラムとの協働により、各部を集中制御する。また、サーバ制御部１１は、記憶部１２に記憶されている医療情報、処理テーブル及び閲覧用プログラムをメディアＭに書き込ませる処理を行う。サーバ制御部１１が行う処理については後述する。
【００２２】
記憶部１２は、ＨＤＤ（Hard Disk Drive）や半導体の不揮発性メモリ等を備えて構成される。記憶部１２は、各種プログラムを記憶する他、医療情報、処理テーブル及び閲覧用プログラムを記憶する。なお、医用画像のヘッダ情報及び電子カルテには、患者の年齢、生年月日又は病状等が含まれ、電子カルテには患者の病状について更に詳細な情報が含まれる。
【００２３】
図３に、記憶部１２が記憶する処理テーブルの一例を示す。
処理テーブルＴは、患者の年齢又は視力と画面構成情報とが対応付けられて構成される。画面構成情報とは、医療情報を表示画面上に表示する際のレイアウト、文字サイズ、枠サイズ、アノテーションサイズ等、表示形態に関する設定情報である。
なお、処理テーブルＴでは患者の年齢又は視力が画面構成情報と対応付けられて構成されるが、これに限らず、患者の視覚特性情報が画面構成情報と対応付けられていればよい。ここで視覚特性とは、対象物の色、大きさ、形、動作、奥行き等の性質をいい、視覚特性情報とは、視覚特性の良し悪しを判定するための情報である。例えば、視覚特性情報には上述した患者の年齢又は視力の他、例えば患者の生年月日、視覚特性に関する疾患（白内障、緑内障、色覚異常等）がある。
【００２４】
処理テーブルＴによれば、患者の年齢が２０歳である場合、画面構成情報は「パターン２」となる。また、患者の視力が０．５である場合、画面構成情報は「パターン５」となる。患者の年齢が２０歳であって、視力が０．５である場合、優先して画面構成情報と対応付けられる情報は年齢又は視力のうち何れであってもよく、優先的に用いられる情報は予め定められているものとする。
【００２５】
処理テーブルＴにより決定される画面構成情報は、説明用画面情報を生成する際に用いられる。説明用画面情報とは、画面構成情報に含まれるレイアウト等の設定情報に基づいて構成された説明用の医療情報である。なお、説明用画面情報の画面例については後述する。
【００２６】
図２に戻り、表示部１３は、ＣＲＴ（Cathode Ray Tube）又はＬＣＤ（Liquid Crystal Display）等のモニタを備えて構成される。表示部１３は、サーバ制御部１１から出力される表示信号を受信し、受信した表示信号に基づいて各種画面を表示する。
【００２７】
入力部１４は、各種入力キーを備えたキーボードと、マウス等のポインティングデバイス等を備えて構成される。入力部１４は、ユーザにより任意のキーが押下されると入力信号を生成し、生成した入力信号をサーバ制御部１１に出力する。サーバ制御部１１は、入力信号を受信して、受信した入力信号に応じた各種処理を実行することになる。入力信号に応じた各種処理には、例えば医療情報、処理テーブル及び閲覧用プログラムをメディアＭに書き込む処理がある。
【００２８】
通信部１５は、ネットワークインターフェース等を備えて構成される。通信部１５は、ネットワークＮに接続された各クライアント２０と必要な情報の送受信を行う。
【００２９】
Ｉ／Ｆ部１６は、ＣＤ／ＤＶＤドライブ１７に接続され、インターフェースとしてＣＤ／ＤＶＤドライブ１７とデータの入出力を行う。
【００３０】
ＣＤ／ＤＶＤドライブ１７は、ＣＤやＤＶＤ等のメディアＭ、光ピックアップ、スピンドリルモータ等を備えて構成される。
ＣＤ／ＤＶＤドライブ１７は、メディアＭに記憶された医療情報を読み取り、又はメディアＭに医療情報を書き込む。なお、ＣＤ／ＤＶＤドライブ１７は、ＰＤＩ（Portable Data for Imaging）により医療情報をメディアＭに書き込む。ＰＤＩによる医療情報であれば、各医療機関の相互間で簡易に医療情報の交換を行い得る。
【００３１】
図４に、クライアント２０の機能的構成を示す。
図４に示すように、クライアント２０は、クライアント制御部２１、記憶部２２、表示部２３、入力部２４、通信部２５、Ｉ／Ｆ部２６、ＣＤ／ＤＶＤドライブ２７等を備えて構成される。基本的構成は、データ管理サーバ１０と同様であるため、異なる点について以下に説明する。
【００３２】
クライアント制御部２１は、ＣＤ／ＤＶＤドライブ２７を介してメディアＭに書き込まれた医療情報、処理テーブル及び閲覧用プログラムを読み取る。そして、クライアント制御部２１は、読み取った医療情報、処理テーブル及び閲覧用プログラムから患者の視覚特性情報を抽出又は算出する等の処理を行い、説明用画面情報を表示部２３に表示させる。クライアント制御部２１が行う処理については後述する。
記憶部２２は、各種プログラムを記憶する他、メディアＭを読み取って取得した医療情報、処理テーブルＴ及び閲覧用プログラムを記憶する。
表示部２３は、クライアント制御部２１から出力される表示信号を受信し、受信した表示信号に基づいて各種画面を表示する。表示する各種画面には、画面構成情報に基づいて生成された説明用画面情報による画面がある。
通信部２５は、ネットワークＮに接続されたデータ管理サーバ１０と必要な情報の送受信を行う。
【００３３】
次に、図５及び図６を参照して、データ管理システム１により行われる処理について説明する。
まず、図５を参照して、データ管理サーバ１０がメディアＭに各種情報を書き込む処理について説明する。
【００３４】
サーバ制御部１１は、入力部１４を介して、メディアＭの作成指示を受信するまで待機する（ステップＳ１；Ｎ）。メディアＭの作成指示とは、（１）医療情報、（２）処理テーブルＴ、（３）閲覧用プログラム、（４）説明用画面情報のうち、何れか又は全てをメディアＭに書き込む指示をいう。
【００３５】
メディアＭの作成指示を受信した場合（ステップＳ１；Ｙ）、サーバ制御部１１は、受信した作成指示に説明用画面情報の作成指示が含まれているか否か判断する（ステップＳ２）。
【００３６】
説明用画面情報の作成指示が含まれている場合（ステップＳ２；Ｙ）、サーバ制御部１１は、メディアＭに書き込む医療情報として指示された医療情報を記憶部１２から取得し、取得した医療情報に含まれる患者の視覚特性情報を抽出又は算出する（ステップＳ３）。
視覚特性情報とは、図３において説明したように、患者の年齢や生年月日等である。例えば、サーバ制御部１１は、電子カルテから患者の年齢を抽出したり、医師がコメントした「緑内障」という情報を抽出したりする。また、その他にもサーバ制御部１１は、電子カルテから患者の生年月日を抽出して、患者の年齢を算出する。
【００３７】
サーバ制御部１１は、処理テーブルＴを参照して、説明用画面情報の生成に際して用いる画面構成情報を決定する（ステップＳ４）。なお、決定した画面構成情報とステップＳ３において抽出又は算出した患者の視覚特性情報とは、処理テーブルＴにおいて対応付けられているものとする。
そして、サーバ制御部１１は、決定した画面構成情報に基づいて、説明用画面情報を生成する（ステップＳ５）。
【００３８】
サーバ制御部１１は、ＣＤ／ＤＶＤドライブ１７に、（１）医療情報、（２）処理テーブル、（３）閲覧用プログラム、（４）説明用画面情報をメディアＭに書き込ませ（ステップＳ６）、本処理を終了する。
【００３９】
ステップＳ２に戻り、説明用画面情報の作成指示が含まれていない場合（ステップＳ２；Ｎ）、サーバ制御部１１は、ＣＤ／ＤＶＤドライブ１７に、（１）医療情報、（２）処理テーブル、（３）閲覧用プログラムをメディアＭに書き込ませ（ステップＳ６）、本処理を終了する。
【００４０】
次に、図６を参照して、クライアント２０がメディアＭを読み取って説明用画面情報を表示する処理について説明する。なお、前提として、クライアント２０はＣＤ／ＤＶＤドライブ２７を介して、図５において各種情報が書き込まれたメディアＭの読み取りが可能であるものとする。
【００４１】
クライアント制御部２１は、閲覧用プログラムを起動するか否かについて判断する（ステップＳ２１）。閲覧用プログラムとは、メディアＭが記憶する医療情報を閲覧するためのアプリケーションプログラムである。また、後述するように、クライアント制御部２１と協働して、説明用画面情報を表示部２３に表示させるためのプログラムである。
【００４２】
閲覧用プログラムを起動する場合（ステップＳ２１；Ｙ）、クライアント制御部２１は、閲覧用プログラムの設定に応じた初期画面情報を表示部２３に表示させる（ステップＳ２２）。
表示部２３に表示される初期画面情報には、患者の氏名等が含まれる。なお、初期画面情報に含まれる患者の医療情報はメディアＭに記憶されているものとする。
【００４３】
入力部２４を介して初期画面情報に含まれる患者が選択され、選択された患者の医療情報を表示する指示があるまで、クライアント制御部２１は待機する（ステップＳ２３；Ｎ）。
選択された医療情報を表示する場合（ステップＳ２３；Ｙ）、クライアント制御部２１は、メディアＭに記憶された医療情報を表示部２３に表示させる（ステップＳ２４）。
【００４４】
クライアント制御部２１は、表示部２３に表示させた医療情報について、説明用画面情報による説明用画面（以下、単に「説明用画面」という）に切り替える指示を入力部２４から受信するまで待機する（ステップＳ２５）。
【００４５】
説明用画面に切り替える指示を受信した場合（ステップＳ２５；Ｙ）、クライアント制御部２１は、メディアＭに説明用画面情報が記憶されているか否か判断する（ステップＳ２６）。
メディアＭに説明用画面情報が記憶されている場合（ステップＳ２６；Ｙ）、クライアント制御部２１は、現在表示している医療情報に対応する説明用画面情報を表示部２３に表示させて（ステップＳ２７）、本処理を終了する。
【００４６】
一方、メディアＭに説明用画面情報が記憶されていない場合（ステップＳ２６；Ｎ）、クライアント制御部２１は、メディアＭから患者の医療情報を取得し、取得した医療情報に含まれる患者の視覚特性情報を抽出又は算出する（ステップＳ２８）。
【００４７】
クライアント制御部２１は、メディアＭに記憶されている処理テーブルＴを参照して、説明用画面情報の生成に際して用いる画面構成情報を決定する（ステップＳ２９）。なお、決定した画面構成情報と抽出又は算出した患者の視覚特性情報とは、処理テーブルＴにおいて対応付けられているものとする。
そして、クライアント制御部２１は、決定した画面構成情報に基づいて、説明用画面情報を生成する（ステップＳ３０）。
【００４８】
クライアント制御部２１は、生成した説明用画面情報を表示部２３に表示させて（ステップＳ２７）、本処理を終了する。
【００４９】
図７Ａ、図７Ｂを参照して、説明用画面について説明する。
図７Ａに、基本画面Ｇ１及び第１説明用画面Ｇ２を示す。
基本画面Ｇ１は、医療情報のうち電子カルテの画面であって、図５のステップＳ５又は図６のステップＳ２７で表示部２３に表示される画面である。
基本画面Ｇ１には、患者ＩＤ、氏名、検査日、患者の年齢等が基本情報として表示される。また、その他にも、「所見」欄、「診断」欄、「コメント」欄を備え、更に説明用画面切替ボタンＩＣを備える。ユーザにより説明用画面切替ボタンＩＣが押下されると基本画面Ｇ１が第１説明用画面Ｇ２の画面に切り替わる。
【００５０】
第１説明用画面Ｇ２は、患者が高齢の説明用画面情報による画面である。
第１説明用画面Ｇ２は、基本画面Ｇ１のレイアウトが変更されるとともに、基本画面Ｇ１において表示されていた文字サイズ、枠サイズ等が拡大して表示される。なお、その他にも、数字サイズ、記号サイズ、色等を変更して表示されるとしてもよい。
【００５１】
図７Ｂに、第２説明用画面Ｇ３を示す。
第２説明用画面Ｇ３は、患者が若年の説明用画面情報による画面である。
第２説明用画面Ｇ３は、基本画面Ｇ１のレイアウトが変更されるとともに、医用画像が表示される。また、医用画像上にある文字サイズは拡大して表示される。なお、その他にも、表示された医用画像に付されるアノテーションを拡大したり、部分的に文字サイズ等を拡大したりして表示されるとしてもよい。
【００５２】
以上のように、本実施形態によれば、説明用画面情報を生成するための各種情報をメディアＭに書き込むことができる。各種情報には、（１）医療情報、（２）処理テーブル、（３）閲覧用プログラムが含まれる。説明用画面は、説明を受ける患者にとって適切な画面構成となっており、患者は医師からの説明を聞くとともに説明用画面を参照することができる。よって、自己の病状等を十分に把握することができ、医療現場におけるインフォームドコンセントの充実を図ることができる。
【００５３】
また、医療情報から説明用画面情報を生成する際に用いる患者の視覚特性情報は、患者の視力、年齢、生年月日、病状のうち、少なくとも何れか一つあればよい。なお、視覚特性情報は、医用画像のヘッダ情報から抽出又は算出するとしてもよいし、電子カルテから抽出又は算出するとしてもよい。
【００５４】
また、医療情報から説明用画面情報を生成する際に用いる画面構成情報は、レイアウト、文字サイズ、枠サイズ、アノテーションサイズ、数字サイズ、記号サイズ、色等を含む表示形態に関する設定情報である。
【００５５】
また、閲覧用プログラムにより医療情報が表示された表示画面上において、説明用画面切替ボタンＩＣを押下することで、基本画面Ｇ１から第１説明用画面Ｇ２又は第２説明用画面Ｇ３に逐次切り替えることができる。
【００５６】
また、データ管理サーバ１０が各種情報をメディアＭに書き込む際、説明用画面情報を予め生成し、生成した説明用画面情報を各種情報とともにメディアＭに書き込むこととしてもよい。
【図面の簡単な説明】
【００５７】
【図１】データ管理システムの全体構成を示す図である。
【図２】データ管理サーバの機能的構成を示す図である。
【図３】処理テーブルの一例を示す図である。
【図４】クライアントの機能的構成を示す図である。
【図５】データ管理サーバが各種情報をメディアに書き込むフロー図である。
【図６】クライアントがメディアを読み取って説明用画面情報を表示するフロー図である。
【図７Ａ】基本画面及び第１説明用画面を示す図である。
【図７Ｂ】第２説明用画面を示す図である。
【符号の説明】
【００５８】
１    データ管理システム
１０  データ管理サーバ
１１  サーバ制御部
１２  記憶部
１５  通信部
２０  クライアント
２１  クライアント制御部
２２  記憶部
２３  表示部
２４  入力部
Ｍ    メディア
【図１】
2009226136.tif 000003
【図２】
2009226136.tif 000004
【図３】
2009226136.tif 000005
【図４】
2009226136.tif 000006
【図５】
2009226136.tif 000007
【図６】
2009226136.tif 000008
【図７Ａ】
2009226136.tif 000009
【図７Ｂ】
2009226136.tif 000010